(57)【要約】【課題】主にパソコンのディスプレイ付近に自由に安定装着し、留めた原稿が安定し、軽量で折り畳み可能なペーパーホルダーを実現する。【解決手段】ボディ１とアーム９の素材を空気が漏れない同素材の軽量なものにし、空気で膨らませることで長いボディの軽量化を果たし、空気を抜くことでコンパクトに収納可能にする。アーム９によりクリップ式の留め具３で留めた原稿６安定させる。吸盤４がボディ１から着脱可能となり、ボディ１への固持可能となるよう伸縮性の紐５を吸盤４に付ける。この吸盤４の位置と向きが自由にボディ１へ付けられることにより、クリップ式留め具３で留められた原稿６の向きなども自由に調整可能にした。【選択図】図２
0003136589.tif 000002
【実用新案登録請求の範囲】
【請求項１】
空気で膨らませることにより固持するボディを特徴とするペーパーホルダー。
【請求項２】
ボディと独立した吸盤に伸縮性のある紐の輪を付け、膨らんだボディに紐の輪をくぐらせてることにより、吸盤を自由な位置と向きに装着固定可能とすることを特徴とするペーパーホルダー。
【請求項３】
空気を抜くことにより固持したボディが平面的になり、丸めたり折り畳むことを可能とし、未使用時にコンパクトに収納することを特徴とするペーパーホルダー。
【考案の詳細な説明】
【技術分野】
【０００１】
本考案は、吸盤で装着可能なパソコンなどへの空気で膨らましたボディを持つペーパーホルダーに関するものである。
【背景技術】
【０００２】
ペーパーホルダーは多種多様あるが、パソコン用ペーパーホルダーは従来、立て掛け式のものからパソコン自体に取り付け、パソコンの横のスペースに原稿などが配置可能なスペースをもつデスク上での実用に共されている。
【０００３】
実用のパソコン用ペーパーホルダーは、大きさや装着方法などから、カバンに入れての持ち運びや出し入れには適さず、使用場所を特定しないノート型パソコンへの簡易装着においては実用上十分である。
【０００４】
特許公開平１０−２３４４８１では、屈曲自在な杆体に吸盤と挟み式留め具を有する原稿ホルダーがパソコンへの簡易装着とコンパクトな持ち運びを可能にしている。しかし、屈曲自在な杆体は短く、Ａ４サイズの原稿を保持してパソコンを使用するには不十分であり、屈曲自在な杆体を長くすると重量が増えてしまい、吸盤での原稿保持は不安定な状態になるという欠点があった。
【０００５】
この改善策としての実装形態が図５であり、ペーパーホルダーの基本形態が図２である。Ａ４サイズの縦型原稿にも対応可能となるように、ペーパーホルダーボディの長さをＡ４サイズの原稿縦の長さ以上にする。これによる重量増に対して、ボディ重量を軽減する手段として、ボディを薄いアルミ蒸着などの素材の軽量で空気を漏らさないものとし、空気で膨らませることで１本のボディとして固持することを可能にした。そして、独立した吸盤に伸縮性のある紐を付け、この紐でボディの自由な位置に付けることと複数つけることを可能にし、ペーパーホルダーとしての保持安定強化を実現可能にした。
【特許文献１】特許公開平−２３４４８１号公報
【考案の開示】
【考案が解決しようとする課題】
【０００６】
解決しようとする問題点は、パソコンに簡単に装着可能な軽量コンパクトで、原稿保持の安定度が高いペーパーホルダーを可能とする点である。
【課題を解決するための手段】
【０００７】
本考案は、主にパソコンのディスプレイ付近にペーパーホルダーが装着可能となるよう、空気の漏れない軽量で折り畳み可能な素材をボディに使用し、ボディを空気で膨らませることで軽量なボディとなることを可能にした。このボディの端に原稿を挟むクリップ式留め具を取付ける。ボディをペーパーホルダーとして自由な位置と向きに保持可能にするため、独立した吸盤に伸縮性のある紐を付け、この紐をボディの自由な位置に留めることにより吸盤の位置が自由となり、ペーパーホルダーの位置と向きを自由にすることを可能にした。また、吸盤をペーパーホルダーに複数取り付けることも可能となり安定度も高められる。ペーパーホルダーのボディの左右に、空気の流入もボディと同様にする同素材のアームを取り付けることにより、クリップ式留め具で挟んだ原稿の状態を安定させることを可能にした。そして、ペーパーホルダー未使用時には空気を抜くことにより、ボディとアームを折り畳み、コンパクトに収納することを可能にした。
【考案の効果】
【０００８】
本考案のペーパーホルダーは、軽微な素材によって構成され、ホルダーの安定と原稿の安定に優れているという利点がある。
【考案を実施するための最良の形態】
【０００９】
主にパソコンのディスプレイ付近に装着するため、出来るだけ軽量となるよう空気を入れるボディにアルミ蒸着などの素材を使用し、吸盤やクリップ式留め具の幅とＡ４サイズの長さ程度のボディに吸盤を複数取付け安定させ、原稿を留める軽微なクリップ式留め具とボディと同様のアームにより原稿を安定させた。ボディの空気を抜くことによりコンパクトに折り畳むことを可能にした。
【実施例１】
【００１０】
図５、６、７は、本考案のペーパーホルダーをパソコンのディスプレイ付近にクリップ式留め具３と吸盤４の向きを伸縮性の紐５を変えて装着し、縦型原稿６とパソコンディスプレイ７との状態をみた斜視図である。２は空気中入口である。
【実施例２】
【００１１】
図１１は、本考案のペーパーホルダーのボディ１とアームの空気を抜き、折り畳んでコンパクトにした状態のものと、伸縮性の紐５を有する吸盤４の斜視図である。
【００１２】
このように本考案のペーパーホルダーは、従来のホルダーよりも、コンパクトでホルダーの装着安定と原稿の安定を可能にした。
【００１３】
図５、６、７の実施例のように、パソコンのディスプレイ付近の空間を利用して、ディスプレイの表示と原稿を見比べることが可能であり、収納装着が極めて簡単可能な事から、利用対象の拡大におおいに役立つ。
【産業上の利用可能性】
【００１４】
従来、パソコンは屋内で置き場所が固定していた。ノート型パソコンが開発され、場所の限定が無く利用できるようになった。例えば公共の場所、車中などノート型パソコンの外形面積のスペースが確保されれば使用することは可能となったが、原稿を置くスペースは無く、原稿を安定させた状態で見ながらパソコンを使用することは出来なかった。本考案のペーパーホルダーは、空間を利用しているのでスペースを必要とせず、装着後の原稿を安定させ、持ち運びが簡単なことから、主にノート型パソコン専用のペーパーホルダーとして、また、吸盤が使用できるものに対しての幅広いペーパーホルダーとしての利用が見込まれる。
【図面の簡単な説明】
【００１５】
【図１】ペーパーホルダーのボディと吸盤を分離させた斜視図である。
【図２】ペーパーホルダーのクリップ式留め具と吸盤が同じ向きの斜視図である。
【図３】ペーパーホルダーのクリップ式留め具と吸盤が反対の向きの斜視図である。
【図４】ペーパーホルダーのクリップ式留め具に対して吸盤が横向きの斜視図である。
【図５】ノート型パソコンディスプレイの蓋にペーパーホルダーを取付け原稿を留めた状態の斜視図である。（実施例１）
【図６】パソコンディスプレイにペーパーホルダーを取付け原稿を留めた状態の斜視図である。（実施例１）
【図７】パソコンディスプレイ側面にペーパーホルダーを取付け原稿を留めた状態の斜視図である。（実施例１）
【図８】ボディとアームの空気を抜き吸盤を外し、アームに折り目の目安が分かるようにした斜視図である。
【図９】図８の状態からアームを折り畳んだ状態の斜視図である。
【図１０】図９の状態でボディに折り目の目安が分かるようにした斜視図である。
【図１１】図１０の状態からボディを折り畳んだ状態の斜視図である。
【符号の説明】
【００１６】
１    ボディ
２    空気注入口
３    クリップ式留め具
４    吸盤
５    伸縮性の紐
６    原稿
７    パソコンディスプレイ
８    折り目
９    アーム
【図１】
0003136589.tif 000003
【図２】
0003136589.tif 000004
【図３】
0003136589.tif 000005
【図４】
0003136589.tif 000006
【図５】
0003136589.tif 000007
【図６】
0003136589.tif 000008
【図７】
0003136589.tif 000009
【図８】
0003136589.tif 000010
【図９】
0003136589.tif 000011
【図１０】
0003136589.tif 000012
【図１１】
0003136589.tif 000013